(57)【要約】    【課題】  掃除機等の集塵装置に使用されるフィルタ−の塵落し装置はフィルタ−に横方向から衝撃を与えるタイプが多い。ところが横方向の衝撃は直接接触する個所のみ塵離れがよく、接触箇所から離れた場所のフィルタ−に付着した塵はなかなか剥離せず、ふるい残された塵埃がフィルタ−に徐々に溜まっていくという欠点があった。そこで掃除機等の集塵装置のフィルタ−に縦方向の振動を与えてフィルタ−に付着した塵埃を効果的に振り落とす塵落し装置を提供することを目的とする。    【解決手段】  フィルタ−を取り付けた部材に筒体を形成して筒体内に弾性体を巻装し、下端に重りを取り付けたシャフトを備えつけ、筒体から突出させたシャフト上端を円筒カムの斜面に係合させ、斜面に沿って上昇落下するシャフト及び重りの振動をフィルタ−に伝えて塵埃をふるい落とすのである。    【選択図】  図４
2006081634.tif 000002
【特許請求の範囲】
【請求項１】
フィルタ−を取り付けた部材に筒体を形成し、
弾性体を介装し、下部に重りを取り付けたシャフトを筒体に内装し、
筒体から突出したシャフト上部を円筒カムの斜面に係合させて上昇落下させ、重りの落下振動をフィルタ−に伝える塵落し装置。  
【発明の詳細な説明】
【技術分野】
【０００１】
本発明はクリ−ナ−やその他の集塵装置に使用されるフィルタ−の塵落し装置に関するものである。
【背景技術】
【０００２】
掃除機等の集塵装置に使用されるフィルタ−には布製、紙製または焼結樹脂製のもの等があり、また、フィルタ−に付着した塵落し装置にも様々なものがある。例えば本発明の出願人会社が開発した「万能型掃除機」（図１）に使用されている塵落し装置は掃除機本体１の外側に設けられた塵落しレバ−２を回転させて本体内側で塵落しカラ−４を回転させ、放射状に取り付けられたフィルタ−３に断続的に接触、振動させて塵落しを行う装置である。
【特許文献１】特開平１１−０５６７１５号公報
【発明の開示】
【発明が解決しようとする課題】
【０００３】
掃除機等の集塵装置に使用されるフィルタ−の塵落し装置はフィルタ−に横方向から衝撃を与えるタイプが多い。特許文献１記載の発明もフィルタ−の下方から左右方向の振動を与えて塵をふるい落とすものである。
【０００４】
ところが横方向の衝撃は直接接触する個所のみ塵離れがよく、接触箇所から離れた場所のフィルタ−に付着した塵はなかなか剥離せず、ふるい残された塵埃がフィルタ−に徐々に溜まっていくという欠点があった。
【０００５】
そこで本発明ではフィルタ−に横方向ではなく縦方向の衝撃を与えて、塵離れ効果を向上させた掃除機の塵落し装置を提供することを目的とする。
【課題を解決するための手段】
【０００６】
アタッチメントにフィルタ−を取り付けると共に筒体を形成し、弾性体（バネ）を巻装し、下端に重りを取り付けたシャフトを筒体に内装する。
【０００７】
次に、筒体から突出させたシャフト上端を円筒カムの斜面に係合させ、円筒カムの回転させてシャフト及び重りを上昇落下運動させるのである。
【０００８】
レバ−を把持し、円筒カムを回転させると、シャフト上端がカムの斜面を上方へ移動し、頂点に達した後落下する。シャフトの上昇に伴い、筒体内で押しバネを押し上げて上昇した重りが急激に落下し、筒体内底を強く殴打する。この振動が筒体を有するアタッチメントに伝わり、アタッチメントに取り付けたフィルタ−に縦方向の振動が与えられてフィルタ−に溜まった塵埃がふるい落とされるのである。
【発明の効果】
【０００９】
フィルタ−へ縦方向の衝撃を与えるため塵離れがよく、フィルタ−に付着した塵を効果的に振り落とすことができるのである。
【発明を実施するための最良の形態】
【００１０】
以下、図面を参照しながら本発明の最良の実施形態について説明する。
【００１１】
図２が本発明にかかる塵落し装置を装備した掃除機５の斜視図である。６は円筒型タンクであり、それ自体が吸引したゴミの収容容器となる。タンク６の上部には外壁面の適当な位置にホ−ス接続口９を有するアタッチメント８があり、アタッチメント８上部にモ−タ部７を有する。
【００１２】
アタッチメント８内にはフィルタ−装置１０が取り付けられている。
【００１３】
図３がアタッチメント８の平面図（円筒カムの蓋２４は取り外した状態）。図４が同、断面図である。
【００１４】
アタッチメント８は隔離板１３、塵落し装置２７及びフィルタ−１０から構成される。
【００１５】
アタッチメント８内には、先細りのテ−パ−上に形成された深い中央部１１と浅い周縁部１２とを有する二段の凹部を持つ隔離板１３と、周縁部１２の下部に複数個のフィルタ−１０が深い中央部１１を環状に取り巻くように取り付けられている。周縁部１２の底面１２ａにはフィルタ１０で濾過された気流の吸引口１４が環状に並んでいる。
【００１６】
１５は載置縁であり隔離板１３の外周にあって、外側に開いており、タンク６の開口縁に載る。
【００１７】
フィルタ−１０は多孔質材料である、焼結樹脂からなり、星形のような襞のある横断面形状を有する、パイプ状の部材である。
【００１８】
隔離板１３の深い中央部１１には下端に重り１６を取り付けたシャフト１７を内装し、中央部１１の開口部を覆う円盤上の蓋１８が周縁部底面１２ａにネジ１９で固定されている。蓋１８の中央開口部１８ａから突出したシャフト上端１７ａは屈曲しており、屈曲部１７ａにはコロ２５を回動自在に係合して係合摩擦を減少させる。更に、シャフト１７に押しバネ２６を巻装し、重り１６を下方へと付勢する。
【００１９】
把手となる突起２０を立設したレバ−２１ａを有する円筒カム２１をシャフト１７の上端に緩挿する。円筒カム２１と蓋１８間にはベアリング２３を介装し、円筒カム２１の回転をスム−ズにする。
【００２０】
円筒カム２１内には三分割された斜面２２が形成されている。円筒カム２１には蓋２４を嵌装する。（図４）
清掃後、アタッチメント８をタンク６から取り外し、把手２０を把持してレバ−２１ａと共に円筒カム２１を矢印方向に回転させると、シャフト先端１７ａがコロ２５の回転と共に円筒カム２１の斜面２２を上昇し、頂点２２ａに達した後、急激に落下し、又次の斜面２２を昇り始める。シャフト１７の上昇、落下に連動してシャフト１７の下端に取り付けた重り１６が押しバネ２６を押し上げながら上昇後急激に落下し、深い中央部１１の底面１１ａを強く打つ。円筒カム２１を一回転させるとシャフト１７及び重り１６の上昇落下運動が三回繰り返される。
【００２１】
この振動が深い中央部１１から浅い周縁部底面１２ａへと伝わり、更に、これに取り付けた夫々のフィルタ−１０へと伝わり、フィルタ−１０に溜まった塵埃をふるい落とすのである。
【産業上の利用可能性】
【００２２】
本発明はクリ−ナ−やその他の集塵装置に使用されるフィルタ−の塵落し装置に関するものであり、各種フィルタ−、例えば布製、紙製あるいは表面濾過式の焼結樹脂製フィルタ−に使用可能である。
【図面の簡単な説明】
【００２３】
【図１】従来の掃除機の断面図。
【図２】本発明にかかる塵落し装置を内装した掃除機の斜視図。
【図３】アタッチメントの平面図。
【図４】同、断面図。
【符号の説明】
【００２４】
１０、フィルタ−    １１、深い中央部（筒体）    １２、浅い周縁部（フィルタ−取り付け部材）    １６、重り    １７、シャフト    ２１、円筒カム    ２６、バネ
【図１】
2006081634.tif 000003
【図２】
2006081634.tif 000004
【図３】
2006081634.tif 000005
【図４】
2006081634.tif 000006